(57)【要約】      （修正有）【課題】アロマキャンドルが着火されることなく香りを放出し、破損することなく持ち運びができ、場所や時間を選ばず使用することができ、さらに使用前と使用後の形状がほとんど変化しないものを提供する。【解決手段】香料成分の浸出作用のあるロウインセンス１と該ロウインセンス１の外周に包装または装着した綿２を備えることによって、香料を含浸したロウインセンス１から経時または保管する環境の温度変化によって香りが浸出し、該ロウインセンス１の外周に包装または装着した綿２に香りが透過、滞留、浸透、放出するための綿２を有し、収納袋３あるいは収納容器に収納することによって収納袋３あるいは収納容器の外部に放出させる。【選択図】図３
0003190854.tif 000002
【実用新案登録請求の範囲】
【請求項１】
香料を含浸したロウインセンスと該ロウインセンスの外周に包装または装着された綿を有し、経時による該ロウインセンスから浸出する香りを該綿が吸着、滞留、浸透を経て放出することを特徴とする携帯型アロマキャンドル。
［００２８］
【請求項２】
中心に燃焼芯を備え、香料を含浸したロウインセンスと該ロウインセンスの外周に包装または装着する綿を有し、経時による該ロウインセンスから浸出する香りを該綿が吸着、滞留、浸透を経て放出することを特徴とする携帯型アロマキャンドル。
［００２９］
【請求項３】
［請求項１］または［請求項２］の通気性または香りの透過性のある収納袋に収納され、香りが収納袋から放出される構造になっている携帯型アロマキャンドル。
［００３０］
【請求項４】
収納袋には収納袋が開閉可能にすることを可能にする閉塞具が装着されていてロウインセンスや綿、任意の物品を取り出すことが可能な［請求項１］、［請求項２］および［請求項３］の携帯型アロマキャンドル。
［００３１］
【請求項５】
収納袋には収納袋の形状を維持させるため、内容品のインセンスの欠損から保護を目的とするために収納袋補強具が装着されている［請求項１］、［請求項２］［請求項３］および［請求項４］の携帯型アロマキャンドル。
［００３２］
【請求項６】
開閉可能な収納容器と収納容器蓋によって閉塞された収納内部に収納または装着された［請求項１］または［請求項２］の携帯型アロマキャンドル。
［００３３］
【請求項７】
香料を含浸したロウインセンスと該ロウインセンスの外周を包装または装着する綿と任意の物品を収納する庫の間に仕切る透過膜を有することを特徴とする［請求項３］および［請求項６］の携帯型アロマキャンドル。
［００３４］
【請求項８】
通気口が収納容器または収納容器蓋の一部に設けられて、収納容器または収納容器蓋の開口部と香料を含浸したロウインセンスと、該ロウインセンスの外周を包装または装着する綿を挟んだ位置に有することを特徴とする［請求項６］または［請求項７］の携帯型アロマキャンドル。
【考案の詳細な説明】
【技術分野】
【０００１】  本考案は、点火せずに香りを楽しむことが可能な携帯型アロマキャンドルに関するものである。
【背景技術】
【０００２】  従来のアロマキャンドルは、香料を含んだロウを燃焼芯に着火し、その燃焼による熱によってロウを溶解し、蒸散した香気を着火による熱による対流によって放散する仕組みに作られている。その形態は自立型のものと容器に充填されたものがあって、ロウとその中心に燃焼芯を備えた物であり様々な香りと形や色の美しいものが存在する。【０００３】  しかし燃焼材のロウが燃焼によって溶け、形状は変化し、燃焼芯は黒く焦げた状態になり燃焼前の元の形状とは異なったものになる。また火を使用するので常に火災や火傷の心配が付きまとう。また、ロウの中に液体の香料が含有されることによってロウの融点や硬度が下がるので保管温度によっては変形、破損しやすくなる。さらにアロマキャンドルを充填に使用する容器は、ほとんどがガラス製や陶磁器製であって破損しやすく常時携帯して使用することはない。また、キャンドルに使用するロウと接触した物品にはロウが付着して汚れるおそれがある。【０００４】  この対応策として使用者はガラスや陶磁器に入ったアロマキャンドルを、火を付けずに主に置物として使用しロウの表面から出るわずかな香りを楽しんでいる。しかしアロマキャンドルに含まれている香りのごく一部しか利用できないので火を付けなくても充分に香りが楽しめるよう改善する必要がある。
【先行技術文献】
【特許文献】
【０００５】
【特許文献１】特許公開平８−１５７８６４
【考案の概要】
【考案が解決しようとする課題】
【０００６】  解決しようとする問題点は、アロマキャンドルが着火されることなくアロマキャンドルの燃焼材でるロウの中に含まれる香りを充分に放出し、破損することなく持ち運びができ、場所や時間を選ばず使用することができ、さらに使用前と使用後の形状がほとんど変化しないものを提供することである。
【課題を解決するための手段】
【０００７】  本考案は、香料を含浸したロウから経時または保管する環境の温度変化によって香料成分が浸み出し、該ロウの外周に浸み出した香りが透過、滞留または浸透するための綿を有することによって、綿の外周から放散することを最も主要な特徴とする。
【考案の効果】
【０００８】  本考案の携帯型アロマキャンドルは、香料を含浸したロウから経時または保管する環境の温度変化によって香料成分が浸み出し、該ロウの外周に浸み出した香りを吸着、滞留、浸透、放出するための綿を有することによって香りを綿の外周から放散することと、綿を構成する繊維質や弾性のある発泡体または成型、組成物のいずれかを有することにより、ロウの破損を防ぎ、形状が損なわれることなく、使用の場所や時間を選ばずに火災や火傷の心配がなく安心して香りをたのしむことができるという利点がある。
【図面の簡単な説明】
【０００９】
【図１】図１は収納袋内収納の携帯型アロマキャンドルの実施方法を示した正面図である。（実施例    １）
【図２】図２は収納袋内収納の携帯型アロマキャンドルの実施方法を示した図１における波線箇所の断面図である。（実施例１）
【図３】図３は収納袋内収納の携帯型アロマキャンドルルの実施方法を示した断面見取図である。（実施例２）
【図４】図４は収納容器内収納の携帯型アロマキャンドルの実施方法を示した断面見取図である。（実施例３）
【考案を実施するための形態】
【００１０】  アロマキャンドルを点火することなく自由な場所と自由な時間で香りが楽しめ、持ち運びが可能であり、さらに破損しにくい製品を提供するという目的を、簡易な材料と最小の部品点数で、なおかつ使用後も当初の製品の形状を損なうことなく実現した。
【実施例１】
【００１１】［図１］  および  ［図２］に示す。【００１２】  図１は、本考案の実施例１の正面図であって、図２は断面図である。また、１はロウインセンス、２は綿、３は収納袋、４は閉塞具、５は収納袋補強具である。【００１３】  綿２は香料を含浸したロウインセンス１の外周に包装または装着され、香りの通気性または透過性のある収納袋３に収納されている。収納袋３には収納袋補強具５が装着されている。香料を含浸したロウインセンス１から経時または保管する環境の温度変化によって香料成分が浸出する。浸出した香り成分が綿２によって吸着し、滞留し、綿２の周辺部まで浸透し、やがて香りの透過性のある収納袋３を通って香りが放出される。【００１４】  ロウインセンス１に使用するロウとはパラフィン、脂肪酸、硬化油、高級アルコール、蜜蝋、木蝋、ライスワックス、カルナウバワックス、キャンデリラワックス、ポリエチレンワックス、フィシャートロプスワックス、鯨ロウ、セレシンワックス等の単体物または使用条件に適応した混和物で、適宜顔料や染料などの着色剤を添加した混和物をさす。該ロウインセンス１の形状は円柱状に限定するものではなく任意の形状で良い。また、ロウインセンス１は綿２が触れる表面積を増やし香料成分の吸着効果を上げるために、ロウインセンス１の表面を凹凸状に成型したものも有効であり、ロウインセンス１は単体での使用に限らず複数個を組み合わせて使用することも有効である。【００１５】  ロウインセンス１のおよそ中心に燃焼芯が備えてあれば、ロウインセンスが万一破損した際に折れ曲がっても分離し使用感を損ねることを回避することが可能であり、停電などの非常時に照明用のキャンドルとして使用することが可能である。また、燃焼芯を設けなくても例えばロウインセンス１に顔料や染料等の色素を予め混和しておけばロウインセンス１を袋から取り出しクレヨンのように筆記具として使用することもできる。色素を混和しなくても木製等の内装材に塗って光沢を加える素材として使用することも可能になる。【００１６】  綿２は素材として木綿のほか木片、紙、パルプ、水苔等の植物繊維、シルク、羊毛、人毛などの動物製繊維、ポリエステルなどの化学繊維やガラスなどの鉱物繊維などからなる単体あるいは複数の繊維素材を組み合わせ、相互の繊維を絡ませた綿状材が有効である。あるいはスポンジなどの発泡体や海綿体のほか、ゴムなどの樹脂化合物、紙、布なども利用できる。綿２はロウインセンス１から浸出する香りを吸着、滞留、浸透、放出の働きとともに使用時に想定されるインセンス１への衝撃による欠損からの保護の役割がある。さらに使用時に何らかの外圧をかけることによって綿２がつぶれ、綿２内に滞留した香りを放出させるポンプ効果がある。【００１７】  収納袋３は布、網、紙などの通気性があり自由変型可能であり綿２の反発力によって形状が容易に回復できる素材や透過膜を用いる。または皮革や樹脂皮膜を使用しその一部分に通気口を設けた物を使用する。収納袋３の形状は一部が解放可能な形状になっており、ロウインセンス１と綿２を収納し紐やリボン、ボタン、フック、ファスナー、ワイヤーなどの閉塞具５で閉塞させ簡単に内容物が抜き出ないようにしておくとともに、閉塞具４��結び方や形状の工夫によってハンガーなどに掛けることができる。更にロウインセンス１や綿２を取り出したいときや任意の物品の収納、摘出の時に解放、閉塞させるが可能となる。【００１８】  さらに収納袋３には収納袋３の形状を維持させるため、内容品のインセンス１の欠損から保護を目的とするために収納袋補強具４を設けることが有効であり、収納袋３の外周の両端部あるいは環状に装着するか、ないしは収納袋４内でロウインセンス１と綿２の外周の両端部または環状に装填することが有効である。収納袋補強具４の素材としては紐、布、樹脂、紙、木、竹、金属ワイヤーによる芯材や部材を使用することが望ましい。
【実施例２】
【００１９】  図３は、本考案装置の実施例２の断面図である。１はロウインセンス、２は綿、３は収納袋、４は閉塞具、５は収納袋補強具、６は透過膜、９は任意の物品である。【００２０】  ロウインセンス１が綿２に包装または装着され更に透過膜６によって包装されたものが収納袋３に収納されて、同時に任意の物品９を収納することも可能になる事例である。ロウインセンス１および綿２が透過膜６によって包装されることによって、ロウインセンス１と綿２は収納袋３の閉塞具４を開封した際に飛び出す心配がなく、同時に収納袋３の中に収納した任意の物品９が綿２の繊維に絡まる恐れが無くなる。【００２１】  透過膜６は収納袋３と同様に布、網、紙などの通気性があり自由変型可能であり綿２の反発力によって形状が容易に回復できる素材や透過膜を用いる。または皮革や樹脂皮膜を使用しその一部分に任意の大きさの通気口を設けた物を使用する。あるいは透過膜６は収納袋３と同一の素材で収納袋３と一体の成型で仕切りの形態が取られていることが有効である。
【実施例３】
【００２２】  図３は、本考案装置の実施例２の断面見取図である。１はロウインセンス、２は綿、６は透過膜、７は収納容器、８は収納容器蓋、９は任意の物品である。【００２３】  綿２は香料の含浸されたロウインセンス１の外周に包装または装着され、通気性または香りの透過性のない収納容器７と収納容器蓋８の内部に収納されている。収納容器７と収納容器蓋８の内部のロウインセンス１と綿２の外周の一部または全周に透過膜６が装着または接着されている。さらに収納容器７は収納容器蓋８によって閉塞、解放が可能な構造になっている。経時または保管する環境の温度変化によってロウインセンス１から香料成分が浸出し、香料成分を綿２が吸着し滞留し綿２の周辺部まで浸透し、やがて香りの透過膜から放散し、収納容器内７に香りが充満する。充満した香りは容器蓋８を解放した際に香りが収納容器の外部に放出させることが可能になる。【００２４】  収納容器蓋８に閉塞された収納容器７の内部に、綿２を包装または装着したロウインセンス１と任意の物品９を収納する部位を仕切る透過膜６は、布、網、紙などの通気性があり自由変型可能であり綿の反発力によって形状が容易に回復できる素材や透過膜を用いる。あるいは金属膜、樹脂膜、紙、木などの板や皮革、天然および合成の樹脂を使用しその一部分に通気口の構造を設けた仕切り板を使用する。収納容器７の形状は一部が解放可能な形状になっており、該解放可能な部分を収納容器蓋８の開閉によって閉塞することができ、香りの放出量を調整することができる。【００２５】  収納容器７に任意の物品９を収納し収納容器蓋８で閉塞することにより、収納容器７の内部に香りが充満し、収納容器７内に収納された任意の物品９に移り香させることが可能である。また、任意の物品９を出し入れする際に透過膜６に指などが当たり透過膜６を押し込み、綿２にポンプ効果が及び、綿２内に滞留している香気を放出させることができる。さらに綿２および透過膜６は香りを滞留、放出させる機能のほか、任意の物品９にロウインセンス１が直接触れることによって生じる任意の物品９へのロウの付着を防ぐことができるのと同時にロウインセンス１の損傷防止のための保護具材として有効である。【００２６】  また、収納容器７と収納容器蓋８の形状が該収納容器７の開閉時に、容器内の容積と容器内の気圧が変動する構造であって、収納容器７または収納容器蓋８の開放部のロウインセンス１と綿２を挟んだ部位に通気口１０を設けられていることも有効である。これによって収納容器蓋８を開ける時は収納容器７内の気圧が下がり、通気口から空気がロウインセンス１の外周に装着された綿２内を通過し、香りを伴って収納容器７または収納容器蓋８の開口部に抜ける。一方、収納容器蓋８を閉じる時は収納容器７内の気圧が上がり、収納容器７または収納容器蓋に設けられた通気口１０から空気がロウインセンスの外周に装着された綿を通過し、香りを伴って通気口を抜けて収納容器の外部に放出される。
【符号の説明】
【００２７】１    ロウインセンス
２    綿
３    収納袋
４    閉塞具
５    収納袋補強具
６    透過膜
７    収納容器
８    収納容器蓋
９    任意の物品
１０  通気口
【図１】
0003190854.tif 000003
【図２】
0003190854.tif 000004
【図３】
0003190854.tif 000005
【図４】
0003190854.tif 000006
【手続補正書】
【提出日】平成26年3月12日(2014.3.12)
【手続補正１】
【補正対象書類名】実用新案登録請求の範囲
【補正対象項目名】全文
【補正方法】変更
【補正の内容】
【実用新案登録請求の範囲】
【請求項１】
香料を含浸したロウインセンスと該ロウインセンスの外周に包装または装着された綿を有し、経時による該ロウインセンスから浸出する香りを該綿が吸着、滞留、浸透を経て放出することを特徴とする携帯型アロマキャンドル。
【請求項２】
前記ロウインセンスの中心に燃焼芯を備えたことを特徴とする請求項１に記載の携帯型アロマキャンドル。
【請求項３】
通気性または香りの透過性のある収納袋に収納されていることを特徴とする請求項１または請求項２に記載の携帯型アロマキャンドル。
【請求項４】
前記収納袋には閉塞具が装着されていてロウインセンスや綿、任意の物品を収納することが可能であることを特徴とする請求項３に記載の携帯型アロマキャンドル。
【請求項５】
前記収納袋には収納袋の形状を維持させ、収納されたロウインセンスの欠損から保護するための収納袋補強具が装着されていることを特徴とする請求項３または請求項４に記載の携帯型アロマキャンドル。
【請求項６】
ロウインセンスと綿が閉塞可能な収納容器と収納容器蓋によって閉塞された容器内部に収納または装着されたことを特徴とする請求項１または請求項２に記載の携帯型アロマキャンドル。
【請求項７】
容器内部にロウインセンスと綿を収納または装着し、透過膜の仕切りを挟んだ位置に任意の物品を収納する収納部を有することを特徴とする請求項６に記載の携帯型アロマキャンドル。
【請求項８】
通気口が、収納容器または収納容器蓋の一部に設けられ、収納容器または収納容器蓋の収納部と、ロウインセンスと綿を挟んだ位置に有することを特徴とする請求項６または請求項７に記載の携帯型アロマキャンドル。